(57)【要約】【課題】内・外側ガイドレールをできる限り内枠側に取着するようにして無駄を少なくし、更に、これにより面倒な分別作業の軽減が図られるようにした弾球遊技機を提供する。【解決手段】外枠１の前面に装着され開口窓４を有する内枠２と該内枠２に配設され前記開口窓４から前面を臨ませるようにした遊技盤５とを備え、前記内枠２に開口窓４の一側の内周縁に沿うようにして外側ガイドレール２５を取着してなる弾球遊技機Ｐであって、前記内枠２の開口窓４の他側にレール板部２７を設け、レール板部２７の上面にはその上に乗ったパチンコ球が遊技盤５面の中央下部へ誘導される内側ガイドレール部２６を一体に成形した構成からなる。【選択図】図３
2005323934.tif 000002
【特許請求の範囲】
【請求項１】
外枠の前面に装着され開口窓を有する内枠と該内枠に配設され前記開口窓から前面を臨ませるようにした遊技盤とを備え、前記内枠に前記開口窓の一側の内周縁に沿うようにして外側ガイドレールを取着してなる弾球遊技機であって、
前記内枠の前記開口窓の他側にレール板部を設け、前記レール板部の上面にはその上に乗ったパチンコ球が前記遊技盤面の中央下部へ誘導される内側ガイドレール部を一体に成形したことを特徴とする弾球遊技機。
【請求項２】
前記レール板部は、前記内枠と別体に成形されると共に種々の遊技盤の盤面ゲージに合うように前記内側ガイドレール部の形状の異なるものが複数種類用意され、前記内枠に所望のレール板部を交換自在に取着できるようにした請求項１記載の弾球遊技機。
【発明の詳細な説明】
【技術分野】
【０００１】
この発明は、外枠の前面に装着される内枠に遊技盤を配設するようにした弾球遊技機であって、内枠側に外側ガイドレールと共に内側ガイドレールの一部が一体に成形されるレール板部を設けるようにした弾球遊技機に関するものである。
【背景技術】
【０００２】
一般に、弾球遊技機の一種であるパチンコ遊技機は、外枠の前面に装着され開口窓を有する内枠と該内枠に配設され該開口窓から前面を臨ませるようにした遊技盤とを備えている。そして、該遊技盤の前面には、例えば、数字、文字等の情報を変動表示させる可変表示装置、パチンコ球が入賞することにより該可変表示装置に表示される情報を変動させる始動入賞口、一度に多くの入賞球を発生させる入賞装置の他に風車、障害釘といった多くの盤面部品が装着されている。更に、遊技盤面に、前記盤面部品を囲むようにして金属製の内側ガイドレールと外側ガイドレールとが渦巻状に敷設されている。これら内・外側ガイドレールは、それぞれ遊技盤面の所定位置に開設された複数の取付孔にレール釘を打ち込むことにより装着される（例えば、特許文献１参照。）。一方、本出願人は、打球の球飛び状態の安定化を図るために外側ガイドレールを内枠側へ取着したパチンコ遊技機を出願している（例えば、特許文献２参照。）。
【特許文献１】特開２００２−２７２９４１号公報（第３−４頁、図１）
【特許文献２】特開２００３−１８０９８０号公報（第３−４頁、図４）
【発明の開示】
【発明が解決しようとする課題】
【０００３】
ところで、パチンコ遊技機はその機種毎に遊技盤のデザインや盤面ゲージが異なっており、パチンコホールにあっては古い遊技盤を新しいものと交換する場合または旧機種を新機種と交換する場合、通常、遊技盤のみを交換するかパチンコ遊技機全体を交換するようにしている。この際、古い遊技盤は多くの盤面部品を装着したまま廃棄していた。一方、近時、資源の有効利用及び自然環境保護の観点から、パチンコ遊技機にあってもリサイクルが奨励され、遊技盤から可変表示装置、入賞装置、風車、障害釘等の各種盤面部品及び内・外側ガイドレールを取り外している。すなわち、遊技盤であれば木材、可変表示装置であればプラスチック、障害釘や内・外側ガイドレールであれば金属というようにそれぞれの材質毎に分別して処理している。
【０００４】
しかしながら、前記特許文献１のパチンコ遊技機の場合は、内・外側ガイドレールが、まだ十分に使用できるにも拘わらず遊技盤と共に廃棄されているのが現状である。これは無駄が多くゴミ処理の観点からも好ましいことではない。また、前記盤面部品が多いことから、それらの分別作業は非常に面倒であり、少しでも面倒な作業の軽減を図ることが期待されている。一方、特許文献２のパチンコ遊技機の場合は、外側ガイドレールが内枠側に取着されているので、その分無駄が少なくなり、また、遊技盤の面倒な分別作業も少し軽くなるが、十分ではなくまだ余裕が見られた。
【０００５】
そこで、本発明は上記課題を解決すべくなされたもので、外側ガイドレールと共に内側ガイドレールの一部をできる限り内枠側に取着するようにして無駄を極力少なくし、更に、これにより面倒な分別作業の軽減が図られるようにした弾球遊技機を提供することを目的とするものである。
【課題を解決するための手段】
【０００６】
かかる目的を達成するため本発明に係る弾球遊技機は、外枠の前面に装着され開口窓を有する内枠と該内枠に配設され前記開口窓から前面を臨ませるようにした遊技盤とを備え、前記内枠に開口窓の一側の内周縁に沿うようにして外側ガイドレールを取着してなる弾球遊技機であって、前記内枠の開口窓の他側にレール板部を設け、レール板部の上面にはその上に乗ったパチンコ球が遊技盤面の中央下部へ誘導される内側ガイドレール部を一体に成形した構成からなる。
【０００７】
この際、前記レール板部は、内枠と別体に成形されると共に種々の遊技盤の盤面ゲージに合うように内側ガイドレール部の形状の異なるものが複数種類用意され、内枠に所望のレール板部を交換自在に取着できるようにすることが好ましい。
【発明の効果】
【０００８】
請求項１記載の発明に係る弾球遊技機は、内枠側に外側ガイドレールと共に上面に内側ガイドレールの一部となる内側ガイドレール部を一体に成形したレール板部を設けるようにしたので、例えば、遊技盤の新旧の交換をする場合も、外側ガイドレールと共に内側ガイドレール部がそのまま使えることになり、部品の有効利用が図られ無駄も少なくなるという効果がある。また、旧い遊技盤を分別処理するにも内・外側ガイドレールが少ないことから、遊技盤の分別処理上の面倒な作業が軽減され、その作業能率も向上するという効果がある。
【０００９】
また、請求項２記載の発明に係る弾球遊技機では、レール板部は、内枠と別体に成形されると共に種々の遊技盤の盤面ゲージに合うように内側ガイドレール部の形状の異なるものが複数種類用意されるので、弾球遊技機の機種変更をする場合も、内枠に所望のレール板部を取着できることになる。よって、レール板部が一体成形により設けられた内枠と比較し、内枠まで交換する必要がなくなり、内枠の有効利用が図られるばかりかその交換作業も容易に行なえるという効果がある。
【発明を実施するための最良の形態】
【００１０】
以下、本発明に係る弾球遊技機の実施の形態を図面に基づき説明する。なお、弾球遊技機には、例えばパチンコ遊技機、アレンジボール機または雀球遊技機があるが、本発明にあっては、その一例としてパチンコ遊技機について説明する。図１は本発明に係るパチンコ遊技機の正面図、図２は同透明板保持枠と前板と下部前板とを開いた状態の斜視図、図３は遊技盤が配設された内枠の正面図である。
【００１１】
図において、１はパチンコ遊技機Ｐの外枠であって、木製からなり縦長方形枠状に成形される。外枠１の前面に額縁状の内枠２がその一側上下部を前記外枠１の一側上下部に設けた軸支部３，３に軸支して回動自在に装着されている。この内枠２は合成樹脂製からなり、その上部中央に略円形状の開口窓４が開設される。内枠２の裏面には遊技盤５が配置され、その前面の遊技部５ａが前記開口窓４に臨むようになっている。
【００１２】
前記内枠２の前側には、遊技盤５前面の遊技部５ａを覆い２枚の透明板としてのガラス板６を備えた透明板保持枠７、遊技盤５の前面下部を覆う前板８及び該前板８の下方に位置する下部前板９とが、いずれもその一側上下部を内枠２の一側上下間に所定の間隔離して設けた複数の軸支部１０に軸支して回動自在に装着される。前記前板８の前面に、貯留される弾球としてのパチンコ球を後記する打球発射部１１に供給するための打球供給皿１２が装着される。また、前記下部前板９の前面に前記打球供給皿１２から溢れるパチンコ球を貯留する下部球受皿１３が装着されている。１４は下部前板９の前面一側に設けられ、打ち出されるパチンコ球の打球力の強弱を調節する操作ハンドルである。
【００１３】
前記遊技部５ａには、遊技盤５面に装着される各種盤面部品が装着されている。すなわち、そのほぼ中央に表示部１５ａを備えた可変表示装置１５が装着され、その下方にパチンコ球の入賞により前記表示部１５ａの文字、数字、図形等の情報を変動表示させる始動入賞口１６が配設される。更に、その下方に、前記変動した情報が一定の時間経過後に停止して特定の情報（例えば「７７７」）を示し、遊技者にとって有利な特別遊技状態になったとき、一定の条件の下で開閉扉１７ａを所定回数開成させ一度に多くの入賞球が得られる入賞装置１７が配設されている。前記始動入賞口１６は、パチンコ球が入賞し難い起立または入賞し易い傾動位置に自在に変換可能な一対の可動翼片１８，１８を備えている。
【００１４】
更に、前記始動入賞口１６の両側に一般入賞口１９が配設され、これら一般入賞口１９の上方であって適宜位置に回転自在に装着され流下するパチンコ球の流れを変えて面白みを出させるための風車２０が装着されている。更にまた、遊技部５ａの下部には、遊技部５ａを流下して前記始動入賞口１６、一般入賞口１９などに入賞しなかったパチンコ球をアウト球として遊技盤５の後方へ回収するアウト球口２１が開設されている。
【００１５】
前記内枠２は、その外周縁に高さの高い枠部２２が設けられると共にその内側に基板部２３が張設され、その上部中央に前記開口窓４がほぼ円形状に開設されることとなる。そして、開口窓４の内周縁でありその前側から見て右側上部とほぼ左側半分に円弧状のレール案内溝２４が成形され、該レール案内溝２４に上下両端部を固定することにより金属製の外側ガイドレール２５が取着される。一方、前記開口窓４の前側から見て右側下方には、内周面に円弧状の内側ガイドレール部２６が成形された略三角形状のレール板部２７が内枠２と一体成形により設けられている。前記内側ガイドレール部２６は、後記する内側ガイドレール３１と同様のレールの機能を果たし、内側ガイドレール部２６の上面に乗ったパチンコ球は遊技盤５面の中央下部へ誘導されるようになっている。
【００１６】
前記基板部２３の下部前面には、外側ガイドレール２５の始端側にファール球排出通路２８を介して連なる打球発射レール２９が取付けられる。また、この打球発射レール２９の打球発射部１１側に、前記操作ハンドル１４を回動することにより往復回動して打球発射部１１に供給されるパチンコ球を打球する打球槌３０が配置される。
【００１７】
一方、遊技盤５面には、その前側から見て左側に前記内側ガイドレール部２６と連なるようにして内側ガイドレール３１が装着される。そして、内枠２に遊技盤５をその裏側から装着したとき、遊技盤５面に内側ガイドレール３１と内側ガイドレール部２６及び外側ガイドレール２５とが連続した渦巻状に配置されることになる。また、内側ガイドレール３１と外側ガイドレール２５との間に球飛走通路３２が成形され、内側ガイドレール３１の上端部すなわち終端位置に前記遊技部５ａと連なる球放出口３３が成形される。これにより、打球発射レール２９から打ち出されたパチンコ球は、外側ガイドレール２５に誘導されつつ球飛走通路３２を飛走して球放出口３３から遊技部５ａに打ち込まれることになる。
【００１８】
前記内側ガイドレール３１は合成樹脂により成形され、図４に示すように帯状のガイドレール本体３１ａの長手方向と直交する側の後側縁に、遊技盤５面に装着するための複数の固定部材３４が一体成形により成形される。固定部材３４は、ガイドレール本体３１ａに対し後方へほぼ直角に突出しており、その後端部に二股状の係止片３５，３５が設けられ、これら係止片３５，３５の先端に外側を向く爪部３６が突設される。両爪部３６，３６の頂部間の間隔は遊技盤５面に貫設された取付孔３７の内径よりもやや大きく設定され、また、固定部材３４の長さ寸法は遊技盤５の厚み寸法よりも僅かに短く設定される。
【００１９】
そして、各固定部材３４を遊技盤５面の各取付孔３７にあてがい、そのまま打ち込んで圧入することにより、両係止片３５，３５が取付孔３７の内周面を押圧して抜け止めが図られ、内側ガイドレール３１が遊技盤５面にしっかりと固定される。このように、固定部材３４がガイドレール本体３１ａに一体成形により成形されていることから、各取付孔３７に各固定部材３４を打ち込むに熟練した技術や専用機は必要なく、慣れない作業者であってもその作業が簡単に能率良く行なえる。
【００２０】
また、前記各固定部材３４は、いずれもその後端部が遊技盤５の裏面から後側へ突出することがないから、機構板（図示せず。）などの裏面部品の邪魔になるようなことがない。また、内側ガイドレール３１を取り外す場合は、遊技盤５の裏側から各取付孔３７内に工具（図示せず。）を差し込み、固定部材３４を前側へ押し出すようにする。このようにすれば、内側ガイドレール３１が簡単に取り外せ、新しいものとの交換作業も簡単かつ能率良く行なえる。
【００２１】
前記ガイドレール本体３１ａの上端部に、前記球飛走通路３２を通って遊技部５ａに一旦打ち込まれたパチンコ球が球飛走通路３２内に逆戻りするのを防止する戻り球防止装置３８が一体成形により成形されている。一方、ガイドレール本体３１ａの下端部には、その後側縁に遊技盤５面に当接する飾り板部材３９が一体に張設される。この飾り板部材３９は、横長に成形されると共にその一側縁部３９ａがガイドレール本体３１ａの下端部よりも側方へ突出している。そして、図５に示すように該飾り板部材３９に、前記遊技盤５に開設されたアウト球口２１と連通するアウト球連通口４０が開設される。このアウト球連通口４０の横幅は、パチンコ球が横に２個並んで通過できる程度に設定される。
【００２２】
前記アウト球連通口４０と対応位置してガイドレール本体３１ａに、パチンコ球をアウト球連通口４０に誘導する二条の平行な誘導溝４１，４１が並設される。両誘導溝４１，４１間の寸法は、それら誘導溝４１，４１内を流れるパチンコ球が互いに接触しないように設定される。これにより、遊技盤５面を流下するも入賞し得なかったパチンコ球は、寄せ集められてアウト球連通口４０からアウト球口２１へ排出されることになるが、アウト球連通口４０の前でいずれかの誘導溝４１に入って流れるので、互いに緩衝し合うことがなく円滑に流れる。よって、アウト球口２１に入るパチンコ球が押し合って球噛みを生じ、そのアウト球口２１付近で球詰りを起こすといった危険性もほとんどない。
【００２３】
また、内側ガイドレール３１が遊技盤５面に敷設された状態では、図６に示すように前記飾り板部材３９の一側縁部３９ａが、遊技盤５面とレール板部２７との間に成形される隙間４２内に介在し、遊技盤５とレール部材２７とにより挟着される。このように一側縁部３９ａを挟着するのは、ガイドレール本体３１ａや飾り板部材３９に遊技盤５面を流下するパチンコ球が頻繁に衝突すると、取付孔３７から固定部材３４が少し抜けたり弛んだりして内側ガイドレール３１にガタツキが生ずるおそれがあるので、これを防止し遊技に支障を来たさないようにするためである。
【００２４】
このように、本発明は、内枠２側に外側ガイドレール２５と共に上面に内側ガイドレール部２６を一体に成形したレール板部２７を設けてなる。よって、外側ガイドレール２５と共に内側ガイドレールの一部、すなわち内側ガイドレール部２６、を内枠２側に取着することができ、例えば、パチンコ遊技機Ｐの遊技盤５を新旧交換する場合、外側ガイドレール２５や内側ガイドレール部２６がそのまま使えることになるので、部品の有効利用が図られ無駄も少なくなる。また、旧い遊技盤５を分別処理するにも、外側ガイドレール２５や内側ガイドレール部２６が無いことから、その分別処理上の面倒な作業が軽減され作業能率も向上する。
【００２５】
図７は他の実施の形態の内枠に係るものである。この内枠２ａは、本実施の形態の内枠２とほとんど同じ構成からなるが、レール板部４３が内枠２ａと別体に成形され、しかも、該レール板部４３が内枠２ａの所定位置に交換自在に設けられている。すなわち、内枠２ａの開口窓４の内周縁であって前側から見て右下部にビス孔４４ａを有する複数のボス４４が設けられ、レール板部４３には前記各ボス４４に対応位置してビス挿通孔４５が設けられる。このレール板部４３の上面には、前記と同様に内側ガイドレール部２６が成形される。
【００２６】
そして、各ボス４４に各ビス挿通孔４５を対応位置させた状態で、各ビス挿通孔４５を介して各ビス孔４４ａにビス４６を螺子締めすることにより、内枠２にレール板部４３が取着される。この際、レール板部４３は、種々の遊技盤の盤面ゲージに合うように内側ガイドレール部２６の形状の異なるものも用意される。図８は、その一例であって、内側ガイドレール部４７は、上面一側に鉛直面部４７ａが設けられ、その下端部から内側に向かって直線的に下傾する傾斜面部４７ｂが設けられている。本発明では二種類のレール板部４３，４３ａを示したが、これら形状のものに限られることはなく、種々の遊技盤の盤面ゲージに合うように自由に内側ガイドレール２６，４７の形状を変えたものを用意することができる。
【００２７】
前記他の実施の形態のように、種々の遊技盤の盤面ゲージに合うように前記内側ガイドレール部２６，４７の形状が異なる複数種類のレール板部４３，４３ａを用意するようにすれば、弾球遊技機Ｐの機種変更をする場合も、内枠２ａに所望のレール板部を取着できることになる。よって、レール板部２７が一体成形により設けられた内枠２と比較し、内枠２ａまで交換する必要がなくなり、内枠の有効利用が図られるばかりかその交換作業も容易に行なえることになる。
【図面の簡単な説明】
【００２８】
【図１】本発明に係るパチンコ遊技機の正面図。
【図２】同透明板保持枠と前板と下部前板とをそれぞれ開いた状態の斜視図。
【図３】遊技盤が装着された内枠の正面図。
【図４】図３のＸ−Ｘ線断面図。
【図５】図３のＹ−Ｙ線断面図。
【図６】図３のＺ−Ｚ線断面図。
【図７】レール板部を分解して示す他の実施の形態に係る内枠の斜視図。
【図８】他の実施の形態に係るレール板部の斜視図。
【符号の説明】
【００２９】
１                    外枠
２，２ａ              内枠
４                    開口窓
５                    遊技盤
２５                  外側ガイドレール
２６                  内側ガイドレール部
２７                  レール板部
４３，４３ａ          レール板部
４７                  内側ガイドレール部
Ｐ                    弾球遊技機（パチンコ遊技機）
【図１】
2005323934.tif 000003
【図２】
2005323934.tif 000004
【図３】
2005323934.tif 000005
【図４】
2005323934.tif 000006
【図５】
2005323934.tif 000007
【図６】
2005323934.tif 000008
【図７】
2005323934.tif 000009
【図８】
2005323934.tif 000010